(57)【要約】      （修正有）【課題】筐体の底板にファンモータ支持板の下端部をネジ固定する構成で、ネジの先端が筐体外部に露出することのない空気調和機の室外機を得る。【解決手段】底板１２のファンモータ支持板取り付け部１７には、底板１２を正面側から背面側に向かって上方に切り起して形成される固定片と、固定片を貫通するネジ孔とが設けられる。また、ファンモータを支持するファンモータ支持板４の下端部には、固定片の正面側の面に接触する取り付け面２３と、ネジ孔と対向する位置で取り付け面２３を貫通する取り付け孔と、を有する係止部２６が設けられ、筐体内の正面側から取り付け孔を挿通して固定片のネジ孔と結合するネジ１３によって、ファンモータ支持板４が底板１２のファンモータ支持板取り付け部１７にネジ固定される。【選択図】図６
2014114964.tif 000002
【特許請求の範囲】
【請求項１】
略直方体の筐体内に、
背面側に配置される熱交換器と、前記熱交換器の前面に配置され前記筐体の背面側から正面側に送風する送風ファンと、前記熱交換器と前記送風ファンの間に配置されて前記送風ファンを駆動するファンモータと、前記筐体の底面部を構成する底板のファンモータ支持板取り付け部に下端部が固定されて、前記筐体の天面に向かって略鉛直方向に設けられ、前記鉛直方向の途中で前記ファンモータを支持するファンモータ支持板と、を有し、
前記底板のファンモータ支持板取り付け部には、前記底板を上方に切り起して形成される固定片と、前記固定片を貫通するネジ孔とが設けられると共に、
前記ファンモータ支持板の下端部には、前記固定片に取り付けられる取り付け面と、前記ネジ孔と対向する位置で前記取り付け面を貫通する取り付け孔と、を有する係止部が設けられ、前記ファンモータ支持板が前記底板の前記ファンモータ支持板取り付け部にネジ固定される空気調和機の室外機であって、
前記固定片は、前記底板を正面側から背面側に向かって上方に切り起して構成され、前記固定片の正面側に前記係止部の前記取り付け面の背面側の面が接触し、ネジが前記筐体内の正面側から前記取り付け孔を挿通して前記固定片の前記ネジ孔に結合することにより、
前記ネジの先端が、前記固定片の背面側に位置する前記底板の前記筐体内側の面と、前記固定片の背面側の面と、の間に位置することを特徴とする空気調和機の室外機。
【請求項２】
前記固定片は、前記底板を正面側から背面側に向かって上方に９０°以上の角度で切り起して形成されることを特徴とする請求項１記載の空気調和機の室外機。
【請求項３】
前記ファンモータ支持板の下端部に設けられた前記係止部は、前記底板を切り起して前記固定片を形成したことで前記底板の前記固定片の正面側に形成された開口部を覆う平坦面を有することを特徴とする請求項１または請求項２または請求項３記載の空気調和機の室外機。
【発明の詳細な説明】
【技術分野】
【０００１】
この発明は、空気調和機の室外機に関し、特に、送風機の駆動源であるファンモータを支持するファンモータ支持板の筐体底板への取り付け構造に関するものである。
【背景技術】
【０００２】
空気調和機の室外機は、筐体の底面部を構成する底板上に直立する仕切板によって、筐体内部を左右方向に、送風ファンや熱交換器が位置する送風機室と、圧縮機や冷媒配管が位置する機械室とに区切られている。そして、主としてその機械室の上部に、空気調和機を運転制御するための電気電子部品を収める電気品箱が配置されている。
【０００３】
送風機室には、水平断面が略Ｌ字形状を呈した熱交換器が、筐体内の背面側から機械室とは反対側の側面側にかけて配置されており、背面側に位置する熱交換器の前方、即ち筐体正面寄りに送風ファンが配置されている。そして、送風ファンの駆動源であるファンモータが、送風ファンの後方でかつ熱交換器の前方の位置にて、ファンモータ支持板に取り付け固定されている。
【０００４】
ファンモータ支持板は、ファンモータ同様に送風ファンと熱交換器との間で、略鉛直方向に筐体の底板上から天面に向かってほぼ直立した状態で設けられており、鉛直方向の途中、略中央の位置にファンモータを支持している。ファンモータから前方に突出しているモータ回転軸が、ファンモータの回転駆動力を送風ファンに伝達すべく送風ファンに接続されており、ファンモータ支持板は、ファンモータだけでなく、ファンモータが接続する送風ファンも支持している。
【０００５】
ファンモータや送風ファンを支持するファンモータ支持板は、その下端部を筐体の底板にネジ固定されると共に、その上端にて、後方に向かって形成された掛止片が熱交換器の上部に係合されることで固定されている。
【０００６】
ファンモータ支持板の下端部を筐体の底板にネジ固定するにあたっては、金属製の底板に、切り起しにより固定片を形成し、この固定片にネジ孔を設け、ファンモータ支持板の下端部に形成した取り付け孔にネジを挿通させ、そのネジを底板の固定片のネジ孔に結合させることにより、ファンモータ支持板の底板へのネジ固定を成している空気調和機の室外機がある。（例えば、特許文献１参照。）
【先行技術文献】
【特許文献】
【０００７】
【特許文献１】特開平１０−９６５４１号公報（０００３欄、図２、図６等）
【発明の概要】
【発明が解決しようとする課題】
【０００８】
底板の一部を切り起し加工することで固定片を形成するにあたって、特許文献１に開示されるような固定片、即ち、ファンモータ支持板の下端部と接する接触面が、切り起す前は底板の上面であったような固定片では、固定片の反接触面側でネジ孔から突き出るネジの先端が、当該固定片を切り起したことにより形成される固定片と同サイズの切り起し穴を通して、底板の下面側で、筐体外部に対して露出してしまう。
【０００９】
このため、このような室外機を屋外の所定の場所に設置する（据付ける）際に、据付け作業者が、例えば、この室外機を持ち上げたり、運んだりする時などに、その露出しているネジの先端に手指が接触する恐れがあった。
【００１０】
また、中高層の集合住宅のベランダに室外機を据付けるにあたって、ベランダの床面には置かずに、ベランダの天井面から金具で吊るして設置する場合がある。このような天井吊り式で、特許文献１に示すような室外機を据付けると、底板の下面側から露出するネジの先端が、ベランダに出た使用者の目に触れることとなるため、外観意匠が悪いとか、ネジの先端に危険な感じを抱いてしまうなど、使用者に不快感を与える恐れがあった。
【００１１】
この発明は、上記のような課題を解決するためになされたもので、ファンモータ支持板の下端部を筐体の底板にネジ固定しても、そのネジの先端が筐体外部に露出することのない空気調和機の室外機を提供することを目的とする。
【課題を解決するための手段】
【００１２】
この発明に係る空気調和機の室外機は、
略直方体の筐体内に、
背面側に配置される熱交換器と、前記熱交換器の前面に配置され前記筐体の背面側から正面側に送風する送風ファンと、前記熱交換器と前記送風ファンの間に配置されて前記送風ファンを駆動するファンモータと、前記筐体の底面部を構成する底板のファンモータ支持板取り付け部に下端部が固定されて、前記筐体の天面に向かって略鉛直方向に設けられ、前記鉛直方向の途中で前記ファンモータを支持するファンモータ支持板と、を有し、
前記底板のファンモータ支持板取り付け部には、前記底板を上方に切り起して形成される固定片と、前記固定片を貫通するネジ孔とが設けられると共に、
前記ファンモータ支持板の下端部には、前記固定片に取り付けられる取り付け面と、前記ネジ孔と対向する位置で前記取り付け面を貫通する取り付け孔と、を有する係止部が設けられ、前記ファンモータ支持板が前記底板の前記ファンモータ支持板取り付け部にネジ固定される空気調和機の室外機であって、
前記固定片は、前記底板を正面側から背面側に向かって上方に切り起して構成され、前記固定片の正面側に前記係止部の前記取り付け面の背面側の面が接触し、ネジが前記筐体内の正面側から前記取り付け孔を挿通して前記固定片の前記ネジ孔に結合することにより、
前記ネジの先端が、前記固定片の背面側に位置する前記底板の前記筐体内側の面と、前記固定片の背面側の面と、の間に位置するものである。
【発明の効果】
【００１３】
この発明によれば、筐体の底板にファンモータ支持板をネジ固定したネジの先端が、筐体外部に露出することなく、据付け作業者が据付け作業時にネジの先端に触れたり、天井吊り式で据付けられた場合に、外観が使用者に不快感を与えたりすることがない空気調和機の室外機を得ることができる。
【図面の簡単な説明】
【００１４】
【図１】この発明の実施の形態１における空気調和機の室外機を示す外観斜視図である。
【図２】実施の形態１における空気調和機の室外機の内部構成を示す斜視図である。
【図３】実施の形態１に係る底板を上方向から示す斜視図である。
【図４】実施の形態１に係る底板のファンモータ支持板取り付け部を拡大して示す斜視図である。
【図５】実施の形態１に係るファンモータ支持板を示す斜視図である。
【図６】実施の形態１に係り、ファンモータ支持板の下端部を底板に固定した状態を拡大して示す斜視図である。
【図７】実施の形態１に係り、図６のＺ−Ｚ線における断面図であり、ネジ固定された部分を左側から見た図である。
【図８】実施の形態１に係り、底板を切り起して形成する固定片の切り起し角度αを説明する説明図である。
【発明を実施するための形態】
【００１５】
実施の形態１．
以下、この発明の実施の形態１について、図１乃至図８を参照しながら詳細に説明する。
【００１６】
図１は、この発明の実施の形態１による空気調和機の室外機１００（以降、室外機１００とだけ表記する場合もある）を示す外観斜視図であり、図２は、その室外機１００の筐体１４の一部を取り外して内部構成を示す斜視図である。室外機１００は屋外に設置されるもので、屋内に設置される室内機（図示なし）と冷媒配管を介して接続されて冷媒回路が形成され、室内機が取り付けられた室内空間の冷房や暖房を行う空気調和機を構成する。
【００１７】
図１に示すように、複数、例えば５つのパネル、正面パネル１４ａ、側面パネル１４ｂ、１４ｄ、背面パネル１４ｃ、天面パネル１４ｅ、と底板１２（詳しくは図２参照）によって、室外機１００の略直方体形状の筐体１４が構成され、各パネル１４ａ〜１４ｅ、及び底板１２はいずれも板金製である。筐体１４の下部には筐体１４を支持する脚部１１を有する。正面パネル１４ａの内側には、送風機２の送風ファン２ｃが配設されている。図２は、筐体１４の一部、即ち底板１２と側面パネル１４ｂ以外のパネル１４ａ、１４ｃ、１４ｄ、１４ｅ及び送風ファン２ｃを取り外した筐体１４の内部を示している。
【００１８】
図２に示すように、室外機１００の筐体１４の底面部を構成する底板１２には、室外機１００の内部（筐体内部）を左右に区切る仕切板１０が直立状に設置されている。この仕切板１０によって、熱交換器１と送風機２とを有する送風機室５と、圧縮機６や冷媒配管７が配置される機械室９とに分けられている。室外機１００を正面から見て、左側に送風機室５が、右側に機械室９が位置する。
【００１９】
機械室９には、圧縮機６、冷媒配管７が設けられている。室内機（図示なし）から送られた冷媒は、圧縮機６において圧縮され、冷媒配管７を通り、熱交換器１に送られる。
なお、電気品箱８が、機械室９上部と送風機室５の一部に、仕切板１０上にまたがって設置されている。この電気品箱８内に収められている電気品は各部品への電力供給等を行う。
【００２０】
送風機室５には、背面側に配置される熱交換器１と、送風ファン２ｃ（図１参照）を回転駆動するファンモータ２ａを支持するファンモータ支持板４が設けられ、ファンモータ支持板４は底板１２へネジ１３で固定されている。熱交換器１は、側面側平面部１ａと角部１ｂと背面側平面部１ｃにより、水平断面が略Ｌ字状に構成されている。
【００２１】
この室外機１００の送風機２には、送風ファン２ｃとして例えばプロペラファンが用いられる。送風ファン２ｃは熱交換器１の前面に配置され、送風ファン２ｃを駆動するファンモータ２ａは、送風ファン２ｃの後方、即ち熱交換器１と送風ファン２ｃの間に配置される。送風ファン２ｃがファンモータ２ａのモータ回転軸２ｂに固定されて送風機２を構成する。
【００２２】
送風ファン２ｃが回転駆動されると、熱交換器１の側面側平面部１ａ、角部１ｂ、背面側平面部１ｃを通過して送風ファン２ｃの背面側から筐体１４内に外気が流入し、その外気は、送風ファン２ｃを通過し室外機１００の前方に流れ、正面側の正面パネル１４ａに形成された吹出口から外部へと流出する。これにより、例えば冷房運転中においては、熱交換器１内の冷媒は外気によって冷却され、熱交換器１を通過した外気は冷媒と熱交換することで加熱される。
【００２３】
各部品の組み付け順序としては、まず底板１２に熱交換器１を固定した後、圧縮機６と冷媒配管７を固定する。その後ファンモータ支持板４を底板１２へ組み付け、ファンモータ２ａをファンモータ支持板４に固定し、送風ファン２ｃをモータ回転軸２ｂに固定する。次に、仕切板１０を底板１２に組み付ける。最後に電気品箱８と筐体１４を構成する各パネル１４ａ〜１４ｅを固定する。
【００２４】
ここで、図１、図２に示すように、この実施の形態の説明においては、正面パネル１４ａが外部に面する方向を正面側として、その反対方向を背面側とする。そして、正面側と背面側を結ぶ方向を前後方向と呼ぶ。また、その正面から見て機械室９が位置する方向を右側、送風機室５が位置する方向を左側とする。また、正面側を前方、背面側を後方、右側を右方向、左側を左方向と説明する場合もある。
【００２５】
図３は室外機１００の筐体１４の底面を構成する底板１２を斜め上方向から示す斜視図であり、内部に取り付けられる各部品を組み付ける前の状態を示している。底板１２は取り付けられる各部品を組み付けるための取り付け部が形成されるように、予めプレス加工される。送風機室９となる底板１２の前後方向及び左右方向の略中央部分には、ファンモータ支持板４の下端部を固定するファンモータ支持板取り付け部１７が形成される。図４はこのファンモータ支持板取り付け部１７を拡大して示す斜視図である。
【００２６】
以下、底板１２のファンモータ支持板取り付け部１７について、詳しく説明する。
ファンモータ支持板取り付け部１７には、複数の固定片１５が、底板１２の切り起し加工により形成されている。この固定片１５は次のようにして形成される。金属製の底板１２のファンモータ支持板取り付け部１７は概ね平坦面であり、この底板１２の一部を正面側から背面側に向かって上方に切り起す。次に、この切り起し片を加工して、複数、ここでは３つの固定片１５を形成する。それぞれの固定片１５の中央部には、固定片１５を貫通するネジ孔１６を、例えばバーリング加工することで設ける。固定片１５の正面側の底板１２には、固定片１５を形成するために切り起したことによる開口部１９が形成される。ここで、固定片１５は底板１２の一部を正面側から背面側に向かって上方に切り起して形成されており、固定片１５を切り起す前の底板１２の筐体１４内側となる面で固定片１５の背面側の面が形成され、底板１２の筐体１４外側となる面で固定片１５の正面側の面が形成される。
【００２７】
固定片１５は、３つの小片で構成しているが、その数はいくつでもよい。この固定片１５でファンモータ支持板４をネジ固定するのであるが、ファンモータ支持板４が安定して固定されるなら、１つでもよい。また、切り起した１片の板に複数のネジ孔を設けてもよい。即ち、１つの大きな固定片を設けてその固定片に複数の固定箇所を設けることで安定して固定するという構成でもよい。
【００２８】
また、ファンモータ支持板取り付け部１７にファンモータ支持板４を取り付ける際の前後方向及び左右方向を位置決めするために、開口部１９の両側に位置決め片２０ａ、２０ｂを設ける。この位置決め片２０ａ、２０ｂは、底板１２を背面側から正面側に向かって、上方に切り起して形成される。位置決め片２０ａ、２０ｂを形成したことによる開口部１８ａ、１８ｂが位置決め片２０ａ、２０ｂの背面側に形成されるが、この開口部１８ａ、１８ｂは開口部１９と比較して小さい。
【００２９】
図５は、ファンモータ２ａを支持するファンモータ支持板４を示す斜視図である。
ファンモータ支持板４は、筐体１４内に固定され、底板１２から天面パネル１４ｅに向かって略鉛直方向にほぼ直立した状態に設けられており、鉛直方向の途中、略中央の位置にファンモータ２ａを取り付けるファンモータ固定面３を有する。このファンモータ固定面３に図２に示したファンモータ２ａが取り付けられ、このファンモータ２ａから前方に突出しているモータ回転軸２ｂに送風ファン２ｃが接続されて、ファンモータ２ａの回転駆動力が送風ファン２ｃに伝達される。このように、ファンモータ支持板４は、ファンモータ２ａだけでなく、ファンモータ２ａがモータ回転軸２ｂを介して接続する送風ファン２ｃも支持している。
【００３０】
ファンモータ支持板４の下端部は、筐体１４の底板１２のファンモータ支持板取り付け部１７にネジ固定される。ファンモータ支持板４の下端部には、底板１２に固定される係止部２６が形成される。この係止部２６は、詳しくは、底板１２に対向する平坦面２１を有し、平坦面２１の左右方向の両端部に切り欠き２２ａ、２２ｂを有する。この切り欠き２２ａ、２２ｂは、平坦面２１の左右方向の両端部で、正面側の角を四角形に切り欠いて形成されてもいいし、平坦面２１をプレス加工する際に切り欠き２２ａ、２２ｂの形状も含めてプレス加工してもよい。さらに、係止部２６は、平坦面２１の背面側で平坦面２１から背面側に向かって上方に傾斜する取り付け面２３を有する。この取り付け面２３は、図４に示した固定片１５の切り起した正面側の面（底板１２の厚さ方向の下面で、切り起さなかったら、筐体１４の外側に向いている面）に接触するように傾斜している。即ち取り付け面２３はその背面側が固定片１５の正面側と接触する。取り付け面２３には固定片１５に接触させたときに、固定片１５に設けられているネジ孔１６と対向する位置に、取り付け面２３を貫通する取り付け孔２４が設けられている。
【００３１】
さらに、ファンモータ支持板４の係止部２６の背面側には、熱交換器当接部２５が設けられている。熱交換器当接部２５が、筐体１４内の背面側に位置する熱交換器１の背面側平面部１ｃに、正面側から当接することで、ファンモータ支持板４の前後方向の位置決めがなされる。
また、ファンモータ支持板４の上端部には、ファンモータ固定面３よりも背面側に突き出た掛止部２７を有する。この掛止部２７を熱交換器１の背面側平面部１ｃの上部に引っ掛けることで、ファンモータ支持板４の上端部が固定される。
【００３２】
図６はファンモータ支持板４の係止部２６を底板１２のファンモータ支持板取り付け部１７にネジ固定した状態を拡大して示す斜視図である。熱交換器当接部２５を熱交換器１の背面側平面部１ｃに正面側から当接させ、かつファンモータ支持板４の組み付け用の位置決め片２０ａ、２０ｂのそれぞれをファンモータ支持板４の切り欠き２２ａ、２２ｂのそれぞれに入り込むようにする。これにより、ファンモータ支持板４の前後方向及び左右方向の位置決めがなされる。この状態では、ファンモータ支持板４の取り付け面２３が固定片１５の正面側に接触し、取り付け面２３の取り付け孔２４と固定片１５のネジ孔１６とが対向するように位置決めされる。そこで、取り付け孔２４に正面側からネジ１３を挿通させ、そのネジ１３を底板１２に形成されている固定片１５のネジ孔１６に結合させる。具体的には、固定片１５にバーリング加工によりネジ孔１６を設け、ネジ１３を取り付け面２３の取り付け孔２４に挿入すると共に、固定片１５のネジ孔１６に回転しながら挿入する。これによりネジ１３が挿入されると同時にネジ１３とネジ孔１６とが螺着によって結合される。このように、ネジ１３としてセルフタップネジを用いてファンモータ支持板４を底板１２に固定すれば、固定片１５に設けたネジ孔１６にネジ溝を形成しなくても、回転する際にネジ溝がきられて、ファンモータ支持板４は底板１２に固定される。
【００３３】
図６では固定片１５を形成するために底板１２にできた開口部１９、及び位置決め片２０ａ、２０ｂを形成するために底板１２にできた開口部１８ａ、１８ｂを点線で示す。固定片１５を形成した後にできた開口部１９は、ファンモータ支持板４の平坦面２１によって上方から覆われる。さらに、位置決め片２０ａ、２０ｂを形成した後にできた開口部１８ａ、１８ｂも、切り欠き２２ａ、２２ｂと位置決め片２０ａ、２０ｂとの間の隙間を除き、ほとんどがファンモータ支持板４の平坦面２１によって上方から覆われる。
【００３４】
なお、この実施の形態では、底板１２の固定片１５にそれぞれ１つずつで計３つのネジ孔１６を形成した（図４参照）が、真ん中のネジ孔１６は用いずに、その両端の２つのネジ孔１６を用いてファンモータ支持板４の取り付け面２３と固定させている。底板１２を共通化して、この実施の形態に係るファンモータ支持板４よりももっと重量が大きいファンモータ支持板を固定する際には、３つのネジ孔１６のすべてを使用する。
【００３５】
図７は図６のＺ−Ｚ線における断面図であり、ネジ固定された部分を左側から見た図である。前述のように、固定片１５は、底板１２を室外機１００の正面側から背面側へ向かって上方に切り起して形成される。この時の切り起し角度をαとした時、切り起し角度はα≧９０°とし、ここではα＝１１０°とする。また、底板１２の厚さ方向で、室外機１００の筐体１４内の面を上面１２ａ、底板１２の筐体１４外の面を下面１２ｂとする。底板１２を正面側から背面側に向かって上方に切り起して固定片１５が形成されるため、固定片１５の正面側の面は、切り起す前は底板１２の下面１２ｂ即ち筐体１４外側の面であり、固定片１５の背面側の面は、切り起す前は底板１２の上面１２ａ即ち筐体１４内側の面である。この切り起す前は下面１２ｂであった固定片１５の正面側の面（下面１２ｂ）に、ファンモータ支持板４の取り付け面２３の背面側の面が接触した状態で、ネジ１３で固定する。
【００３６】
室外機１００の組み付け工程では、組み付け作業者の方に正面側が向くように底板１２や組み付け部品が送られるので、組み付け作業者は室外機１００の正面側から組み付け作業を行うことが一般的である。ファンモータ支持板４を底板１２に組み付ける作業では、前述のように、正面側に位置するファンモータ支持板４に設けられている取り付け孔２４にネジ１３を挿通し、ネジ１３をネジ孔１６に結合させる。白抜き矢印２８に示すように、固定片１５のネジ孔１６には正面側（下面１２ｂ）から背面側（上面１２ａ）にネジ１３が挿入されるので、ネジの先端１３ａは底板１２の上面１２ａで囲まれた位置で固定される。このように、固定片１５を、正面側から背面側に向かって上方に切り起し、さらに正面側からネジ固定すれば、ネジの先端１３ａは筐体１４の外側に出ることなく、筐体１４内に位置する状態で固定される。このため、筐体１４の底板１２にファンモータ支持板４をネジ固定したネジの先端１３ａが、筐体１４外部に露出することはなく、据付け作業者が据付け作業時にネジの先端１３ａに触れたり、天井吊り式で据付けられた場合に、外観が使用者に不快感を与えたりすることを防止できる。
【００３７】
また、ネジの先端１３ａは、固定片１５の背面側に位置する底板１２の上面１２ａと固定片１５の背面側の面（上面１２ａ）に囲まれた空間に位置するので、筐体１４内での露出も抑えられ、組み付け作業者のネジの先端１３ａとの接触の可能性を低くすることができる。
【００３８】
また、底板１２を切り起した後にできる開口部１８ａ、１８ｂ、１９が、開口のままでは、据付け作業者が据付け作業をする時や使用者が室外機１００の周辺にいる時に、開口部１８ａ、１８ｂ、１９の内側に手指が入ってしまうという恐れがある。
【００３９】
この実施の形態では、ファンモータ支持板４の係止部２６に底板１２の平坦面に対向して形成された平坦面２１が、固定片１５を切り起したことによって固定片１５の正面側にできた開口部１９の全体を覆った状態で、ファンモータ支持板４は固定片１５の正面側へ組み付けられる。即ち、固定片１５を形成する際にできた開口部１９が開口のままでとどまることなく、平坦面２１によって閉じられる。開口部１９が平坦面２１によって塞がれることで、天井吊り式で据付けられた場合に開口部から筐体内部が見えてしまうのを防止でき、外観が使用者に不快感を与えたりすることがない空気調和機の室外機を得ることができる。また、開口部１９が覆われるので、室外機の筐体１４外から内部に手指が入るのを確実に防止でき、安全性の向上を図ることができる。
【００４０】
また、開口部１８ａ、１８ｂも係止部２６の平坦面２１によってほぼ閉じられる（図６参照）。開口部１８ａ、１８ｂは開口部１９に比べて、小さな開口であるが、もし小さな子供がいたずらをして細い指や何らかの物を突っ込むと、抜けなくなることも起こりうる。この開口部１８ａ、１８ｂも閉じることで、筐体１４外から内部に手指等が入るのを確実に防止でき、さらに安全性の高い空気調和機の室外機が得られる。
【００４１】
また、固定片１５の切り起し角度αを９０°以上で、例えば１１０°としたので、この製品を組み付ける場合、組み付け作業者はネジの挿入方向２８からネジ１３を挿入する。例えば斜め上方のネジ挿入角度θ＝２０°の方向からネジ１３を挿入して、固定することになる。ネジ挿入角度θは水平線からの角度を示している。水平線よりも斜め上方からネジ１３を挿入するように構成したため、正面側にいる組み付け作業者が作業しやすく、容易に且つ確実にネジ固定でき、生産性がよい。少なくとも固定片１５の切り起し角度αを９０°以上とすることで、ネジ挿入角度θ≧０°となり、組み付け作業者が作業しやすくなる。
【００４２】
図８は底板を切り起して形成する固定片の切り起し角度αを説明する説明図である。図８（ａ）は切り起し角度α＜９０°の場合の固定片３１を示し、ネジの挿入方向を白抜き矢印Ｂ１で示す。図はα１＝４５°で示している。切り起し角度α＜９０°の角度、例えば４５°では正面側から固定片３１へファンモータ支持板４を組み付けるのがスペース的に困難である。また、Ｂ１方向からネジ１３で固定することも難しい。この場合に、スペース的にはファンモータ支持板４を固定片３１の背面側に配置し、矢印Ａで示すように背面側からネジ１３で固定するのは可能ではある。ところが、固定片３１の背面側から正面側にネジ１３を挿入する場合には、組み付け作業者が作業しにくく、さらにネジ１３の挿入方向が底板１２の上面１２ａから下面１２ｂに向かうことになる。このため、ネジの先端１３ａは底板１２の下面１２ｂに位置し、切り起したことによる開口部１９からネジ１３の先端１３ａが室外機筐体１４外へ露出してしまう。これでは従来装置と同様、空気調和機の据付け作業者の手指が接触する恐れがあり、また天井から吊るして設置する場合に、使用者にネジの先端１３ａが見えてしまうことになる。
【００４３】
図８（ｂ）は、切り起し角度α２＝９０°の場合の固定片３２を示し、ネジの挿入方向を白抜き矢印Ｂ２で示す。この場合には前面側から固定片３２へファンモータ支持板４を組み付けるのがスペース的に可能である。また、Ｂ２方向からネジ１３で固定することも可能である。このように、切り起し角度α≧９０°とすることで、固定片３２へファンモータ支持板４をネジ１３で固定する際、ネジ１３の先端１３ａは底板１２の上面１２ａに囲まれて室外機の筐体１４内部にあり、筐体１４の外部へ露出しない。このため、据付け作業者の手指が接触する恐れが無く安全で、使用者に不快感を与えることのない空気調和機の室外機を提供できる。
【００４４】
図８（ｃ）は、切り起し角度α３＝１１０°、α４＝１３０°の場合の固定片３３、３４を示し、ネジの挿入方向を白抜き矢印Ｂ３、Ｂ４で示す。ネジの挿入方向Ｂ３、Ｂ４は例えば水平線に対してネジ挿入角度θ＝２０°〜４０°の角度の斜め上方からとなり、製造ラインの組み付け作業者がネジ１３を挿入しやすく、作業性がよい。作業性がよいので、確実にネジ固定できることから、生産性の向上を図ることができる。また、α＞１３０°になると、切り起し加工時に、角部３５の強度が弱くなる可能性がある。このように、固定片３３、３４へファンモータ支持板４をネジ１３で固定する作業性や加工性を考慮すると、切り起し角度αは１１０°≦α≦１３０°が望ましい。
【００４５】
また、図６に示すように、底板１２のファンモータ支持板取り付け部１７に、切り起しによりファンモータ支持板組み付けの位置決め片２０ａ、２０ｂを設け、位置決め片２０ａ、２０ｂのそれぞれをファンモータ支持板４の切り欠き２２ａ、２２ｂに入り込むようにすることにより、底板１２に対するファンモータ支持板４の固定位置が決められている。底板１２に設けたネジ孔１６とファンモータ支持板４に設けた取り付け孔２４とが合わさるように、切り欠き２２ａ、２２ｂの位置に合わせて位置決め片２０ａ、２０ｂが切り起こされている。このため、ファンモータ支持板４の組み付けの際、切り欠き２２ａ、２２ｂに位置決め片２０ａ、２０ｂが入り込む位置で組み付けることで、ファンモータ支持板４の前後方向及び左右方向の位置決めがなされ、ネジ孔１６と取り付け孔２４とを精度よく合わせることができる。組み付け作業時に組み付け作業者がネジ孔をずらすことなく組み付けることができ、作業性の向上を図ることができる。
【００４６】
さらに、ファンモータ支持板４に設けた切り欠き２２ａ、２２ｂは、平坦面２１の左右方向の両端で、正面側の角に設けた四角形の凹部で形成される。このため、切り欠き２２ａ、２２ｂは２辺を有する。位置決め片２０ａ、２０ｂに切り欠き２２ａ、２２ｂの２辺を突き当てるようにすれば、前後方向及び左右方向の２方向がさらに精度よく位置決めされる。
【００４７】
従来装置では、位置決め片が挿入される挿通孔を位置決め片に合わせて設けて位置決めするものがあるが、この実施の形態では角部に設けた四角形の凹部のような簡単な構成で確実に位置決めをすることができる。
【００４８】
なお、この実施の形態では、正面から見て機械室９が右側、ファン室５が左側に配置されるものを示したが、これに限るものではなく、逆に配置されていてもよい。
【００４９】
以上のように、この発明によれば、
略直方体の筐体１４内に、背面側に配置される熱交換器１と、熱交換器１の前面に配置され筐体１４の背面側から正面側に送風する送風ファン２ｃと、熱交換器１と送風ファン２ｃの間に配置されて送風ファン２ｃを駆動するファンモータ２ａと、筐体１４の底面部を構成する底板１２のファンモータ支持板取り付け部１７に下端部が固定されて、筐体１４の天面１４ｅに向かって略鉛直方向に設けられ、鉛直方向の途中でファンモータ２ａを支持するファンモータ支持板４と、を有し、
底板１２１７のファンモータ支持板取り付け部には、底板１２を上方に切り起して形成される固定片１５と、固定片１５を貫通するネジ孔１６とが設けられると共に、
ファンモータ支持板３の下端部には、固定片１５に取り付けられる取り付け面２３と、ネジ孔１６と対向する位置で取り付け面２３を貫通する取り付け孔２４と、を有する係止部２６が設けられ、ファンモータ支持板４が底板１２のファンモータ支持板取り付け部１７にネジ固定される空気調和機の室外機であって、
固定片１５は、底板１２を正面側から背面側に向かって上方に切り起して構成され、固定片１５の正面側に係止部２６の取り付け面２３の背面側の面が接触し、ネジ１３が筐体１４内の正面側から取り付け孔２４を挿通して固定片１５のネジ孔１６に結合することにより、ネジの先端１３ａが、筐体１４外部に露出することなく、据付け作業者が据付け作業時にネジの先端１３ａに触れたり、天井吊り式で据付けられた場合に、外観が使用者に不快感を与えたりすることのない空気調和機の室外機１００を得ることができる。
【００５０】
また、固定片１５は、底板１２を正面側から背面側に向かって上方に９０°以上の角度で切り起して形成されることにより、組み付け作業者にとってネジ固定の作業がしやすい空気調和機の室外機１００を得ることができ、生産性の向上を図ることができる。
【００５１】
特に、固定片１５は、底板１２を正面側から背面側に向かって上方に１１０°〜１３０°の角度で切り起して形成されることにより、切り起した角部３５の強度を保障できると共に、組み付け作業者にとってネジ固定の作業がしやすい空気調和機の室外機１００を得ることができ、生産性の向上を図ることができる。
【００５２】
また、ファンモータ支持板４の下端部に設けられた係止部２６は、底板１２を切り起して固定片１５を形成したことで底板１２の固定片１５の正面側に形成された開口部１９を覆う平坦面２１を有することにより、底板１２に形成された切り起したままの開口部１９が塞がれ、据付け作業者が据付け作業をする時や使用者が室外機１００の周辺にいるときなどに、開口部１９から手指等が筐体１４内に入るのを確実に防止でき、安全性の高い空気調和機の室外機１００を得ることができる。
【符号の説明】
【００５３】
１  熱交換器、１ａ  側面側平面部、１ｂ  角部、１ｃ  背面側平面部、２  送風機、２ａ  ファンモータ、２ｂ  モータ回転軸、２ｃ  送風ファン、３  ファンモータ固定面、４  ファンモータ支持板、５  送風機室、６  圧縮機、７  冷媒配管、８  電気品箱、９  機械室、１０  仕切板、１１  脚部、１２  底板、１２ａ  上面、１２ｂ  下面、１３  ネジ、１３ａ  ネジの先端、１４  筐体、１４ａ  正面パネル、１４ｂ  側面パネル、１４ｃ  背面パネル、１４ｄ  側面パネル、１４ｅ  天面パネル、１５  固定片、１６  ネジ孔、１７  ファンモータ支持板取り付け部、１８ａ、１８ｂ  開口部、１９  開口部、２０ａ、２０ｂ  位置決め片、２１  平坦面、２２ａ、２２ｂ  切り欠き、２３  取り付け面、２４  取り付け孔、２５  熱交換器当接部、２６  係止部、２７  掛止部、２８  ネジ挿入方向、３１、３２、３３、３４  固定片、３５  角部、１００  空気調和機の室外機、α、α１、α２、α３、α４  切り起し角度、θ  ネジ挿入角度。
【図１】
2014114964.tif 000003
【図２】
2014114964.tif 000004
【図３】
2014114964.tif 000005
【図４】
2014114964.tif 000006
【図５】
2014114964.tif 000007
【図６】
2014114964.tif 000008
【図７】
2014114964.tif 000009
【図８】
2014114964.tif 000010